(57)【要約】【課題】生ゴミを加熱処理して肥料又は飼料とする生ゴミ処理装置を提供する。【解決手段】生ゴミ処理装置１を、水平支持された略円筒状の本体部３と、該本体部３内に設置されており、回転軸２１が前後方向に設定されたスクリューコンベア２０と、該本体部３に接続されたホッパー４と、該本体部３の前端に連設された略円錐台筒形状の縮径部５と、該縮径部５の前端に連設された細管部６と、該細管部６に設けられた加熱部７と、該細管部６の前方に配置された傾斜当接板８Ａとで構成した。【選択図】図１
2011161321.tif 000002
【特許請求の範囲】
【請求項１】
生ゴミを加熱処理して肥料又は飼料とする生ゴミ処理装置であって、
基台と、
該基台に前後方向を定めた場合に該基台によって前後方向に沿って水平支持される、少なくとも前端が開放された略円筒状の本体部と、
該本体部内に設置されており、回転軸が前後方向に設定されてワークを前方に送り出すスクリューコンベアと、
該本体部に接続されたホッパーと、
該本体部の前端に連設されており、前方に向かうに従い内径が縮径した略円錐台筒形状の縮径部と、
該縮径部の前端に連設されており、前方に向けて差し出された細管部と、
該細管部内の生ゴミを加熱する加熱部と、
を具備し、
該ホッパーから該本体部内へ投入されたワークとしての生ゴミを、該スクリューコンベアによって該本体部内から該縮径部内へ向けて送り出し、さらに該縮径部内で滞留する生ゴミを圧縮状態としながら該細管部内へ押し出し、さらに該細管部内において前方へ押し出しながら該加熱部によって加熱して収縮させ、さらに前方へ押し出して該細管部の前端から略柱状体の形状で排出して、該略柱状体の生ゴミ処理物を肥料又は飼料とすることを特徴とする生ゴミ処理装置。
【請求項２】
該縮径部は、該縮径部内の生ゴミから生じた水分が該縮径部の内面を伝って該本体部に向かって流下するように配置されており、
該本体部の下部には、該本体部内及び該縮径部内の生ゴミから出た水分を該本体部の外へ排水する透水板が設けられている請求項１記載の生ゴミ処理装置。
【請求項３】
該細管部の前方には、該細管部の前端から排出された略柱状体の生ゴミ処理物が当接する下向きの傾斜当接板が配置されている請求項１又は請求項２記載の生ゴミ処理装置。
【請求項４】
該細管部内の生ゴミが、該加熱部によって５０〜６０℃に加熱される請求項１乃至請求項３のいずれか１項に記載の生ゴミ処理装置。
【発明の詳細な説明】
【技術分野】
【０００１】
本発明は、生ゴミを加熱処理して肥料又は飼料とする生ゴミ処理装置に関するものである。
【背景技術】
【０００２】
生ゴミから肥料又は飼料（魚、鳥、または家畜等の餌）を作製する処理装置または処理方法は既に提供されている（例えば特許文献１〜４参照）。ここで、生ゴミとは、廃棄物の処理及び清掃に関する法律にいう動植物性食物残渣（食べ残しや調理屑）の他、動植物性食物廃棄物（賞味期限切れ・消費期限切れ等のため廃棄される食品・食材）及び有機質性不要物等も含むものとする。また、肥料とは、作物の生育をよくするため土壌などに施すものであり、飼料とは、家畜等に与える餌のことである。
【先行技術文献】
【特許文献】
【０００３】
【特許文献１】特開２００５−２３１９１２号公報
【特許文献２】特開２００４−５０１０７号公報
【特許文献３】特開２００２−２８２８２２号公報
【特許文献４】特開２００１−１２１１１８号公報
【発明の概要】
【発明が解決しようとする課題】
【０００４】
しかしながら、上記従来構成は、生ゴミにバクテリアを作用させて発酵させることにより肥料等を製造するものであり、発酵用の設備や方法が複雑でコストと手間が非常にかかるという問題があった。
【０００５】
そこで、本発明は、上記問題を解決することができる生ゴミ処理装置を提供することを目的とする。
【課題を解決するための手段】
【０００６】
本発明は、上記問題を解決すべく、生ゴミを加熱処理して肥料又は飼料とする生ゴミ処理装置であって、基台と、該基台に前後方向を定めた場合に該基台によって前後方向に沿って水平支持される、少なくとも前端が開放された略円筒状の本体部と、該本体部内に設置されており、回転軸が前後方向に設定されてワークを前方に送り出すスクリューコンベアと、該本体部に接続されたホッパーと、該本体部の前端に連設されており、前方に向かうに従い内径が縮径した略円錐台筒形状の縮径部と、該縮径部の前端に連設されており、前方に向けて差し出された細管部と、該細管部内の生ゴミを加熱する加熱部と、を具備し、該ホッパーから該本体部内へ投入されたワークとしての生ゴミを、該スクリューコンベアによって該本体部内から該縮径部内へ向けて送り出し、さらに該縮径部内で滞留する生ゴミを圧縮状態としながら該細管部内へ押し出し、さらに該細管部内において前方へ押し出しながら該加熱部によって加熱して収縮させ、さらに前方へ押し出して該細管部の前端から略柱状体の形状で排出して、該略柱状体の生ゴミ処理物を肥料又は飼料とすることを特徴とする生ゴミ処理装置である。
【０００７】
上記構成は、生ゴミがスクリューコンベアによって送り出される過程で粉砕されて小片となるため、肥料又は飼料として処理しやすい大きさとなる。また、上記縮径部は、前方に向かうに従い内部空間が狭くなるため、該縮径部内に送り出された生ゴミは一旦、該縮径部内の前端部に滞留することとなり、そして、後方から順次送り出される生ゴミによって押圧されて圧縮状態とされる。したがって、該縮径部内の生ゴミは、圧縮により水分が絞り出されて体積が減少し、圧密かつ軽量となる。
さらに、このように圧密かつ軽量とされ、水分が減少した生ゴミが細管部内に送り出されて加熱されるため、加熱による生ゴミの乾燥が低温かつ短時間で済む。また、このような加熱乾燥によって該生ゴミが細管部内で収縮して加熱乾燥前に比べて外径が小さくなるため、該細管部の内面との間に適度な間隙が生じて円滑に該細管部前端から排出される。
【０００８】
また、該縮径部は、該縮径部内の生ゴミから生じた水分が該縮径部の内面を伝って該本体部に向かって流下するように配置されており、該本体部の下部には、該本体部内及び該縮径部内の生ゴミから出た水分を該本体部の外へ排水する透水板が設けられていることが望ましい。
【０００９】
上記構成において、縮径部から本体部に流下した水分と、本体部内にある生ゴミから生じた水分とが、該本体部の透水板を介して本体部の外へ排水される。したがって、本発明は、簡易な構造で生ゴミから出る水分を縮径部や本体部内に留めることなく円滑に排出することができる。
【００１０】
また、該細管部の前方には、該細管部の前端から排出された略柱状体の生ゴミ処理物が当接する下向きの傾斜当接板が配置されている構成が望ましい。
【００１１】
上記構成において、該細管部前端から排出される生ゴミ処理物は、前方に向けて略柱状の形態を保ちながら押し出されるが、該生ゴミ処理物の前端が該傾斜当接板に当接した際には該略柱状体の形態が崩れて中途部分で切断され、前半部分が落下する。したがって、本発明は、簡易な構造で該生ゴミ処理物を所定の長さ寸法で切断して回収することができる。
【００１２】
さらに、該細管部内の生ゴミが、該加熱部によって５０〜６０℃に加熱されることが望ましい。
【００１３】
このような温度設定とすると、該細管部内の生ゴミは、該細管部の内壁面に付着しないため、細管部内における生ゴミの流動が円滑となる。
【発明の効果】
【００１４】
本発明の生ゴミ処理装置は、体積が小さく軽量でかつ乾燥した肥料又は飼料を作製することができ、また簡易な構造であって、生ゴミの処理過程において二酸化炭素の放出が極めて少なくて環境に優しいという効果がある。さらに、処理対象の生ゴミが肥料又は飼料とされるまでの時間が極めて短いため、生ゴミに起因する悪臭が発生しにくいという効果がある。
【図面の簡単な説明】
【００１５】
【図１】生ゴミ処理装置を示す縦断面図
【図２】縮径部を示す分解斜視図
【図３】ホッパー周辺を示す拡大縦断面図
【図４】本体部と縮径部との連結部分を示す拡大縦断面図
【図５】細管部周辺を示す縦断面図
【発明を実施するための形態】
【００１６】
本発明の実施例を添付図面に従って説明する。
図１に示すように、生ゴミＷ１を処理対象とする生ゴミ処理装置１は、基台２を備えている。ここで、便宜上、図１に示される生ゴミ処理装置１の基台２においては、右方を後方とし、左方を前方としている。
【００１７】
該基台２には、略円筒形の本体部３が前後方向に向けて水平支持されている。また、該本体部３は、後端が遮蔽され、前端が開放されている。
【００１８】
また、該本体部３内には、公知のスクリューコンベア２０が設置されている。該スクリューコンベア２０は、回転軸２１が前後方向に向けられており、該回転軸２１が、本体部３の後方の制御ボックス９内に配置された回転駆動装置１０に連繋されている。そして、該回転駆動装置１０が回転軸２１を回転させてスクリューコンベア２０を駆動させると、ワーク（本発明では生ゴミＷ１）を前方へ順次移送する。
該スクリューコンベア２０は、例えば、前後長が１５０〜２００ｍｍ、スクリューばねの外径が６００〜１０００ｍｍ、回転数が３００〜５００／ｍｉｎの範囲にそれぞれ設定されることが好ましい。
【００１９】
また、該本体部３の上部には、ホッパー４が接続されており、該ホッパー４を介して、ワークとしての生ゴミＷ１を該本体部３内へ投入することが可能となっている。
該ホッパー４は、例えば、上端開口部の内径が２５００〜３０００ｍｍ、下端開口部の内径が１２００ｍｍ〜１５００ｍｍの範囲にそれぞれ設定されることが好ましい。
【００２０】
また、該本体部３の前部には、該本体部３内の生ゴミＷ１から生じた水分を該本体部３の外へ排水する多孔性の透水板１１が配設されている。さらに、該透水板１１の周囲には、該透水板１１を覆うようにして箱型の排水回収部１２が取り付けられており、該排水回収部１２の下面には下水管（図示省略）に繋がるドレン１３が設けられている。
【００２１】
また、上記本体部３の前端には、前方に向かうに従い内径が縮径する略円錐台筒形状の縮径部５が連設されている。さらに該縮径部５において、該本体部３と連設する部位には、図２に示すように、複数（４個）の透孔２７が設けられた仕切り板２６が固定されており、該仕切り板２６によって該本体部３の内部空間と該縮径部５の内部空間とが仕切られている。そして、該仕切り板２６の中心部に、上記したスクリューコンベア２０の回転軸２１の前端が軸受け３０を介して接続されている。
なお、該縮径部５は、例えば、前後長が３０〜５０ｍｍ、前端内径が２０〜３０ｍｍ、後端内径が６００〜１０００ｍｍの範囲に設定されることが好ましい。また、該縮径部５内の傾斜面５Ａの傾斜角度に着目して設計する場合は、該傾斜角度が水平軸線から３０°〜５０°の角度となるような範囲に設定されることが好ましく、さらに生ゴミＷ１の圧縮状態、絞り出された水分の排水処理、又は圧縮された生ゴミＷ１の送り出しやすさ等を考慮すると該傾斜角度は水平軸線から４０°〜４５°の範囲に設定されることがより望ましい。
【００２２】
また、上記したスクリューコンベア２０の回転軸２１の前端部であって、前記仕切り板２６の後方位置には、該スクリューコンベア２０の回転と同期して回転する羽根付きの回転カッター２５が接続されている。
【００２３】
さらに、上記縮径部５の前端には、前方に向けて差し出された細管部６が接続されている。
該細管部６は、例えば、前後長が３００ｍｍ〜４００ｍｍ、内径が１０〜１５ｍｍの範囲に設定されることが好ましい。
【００２４】
また、該細管部６の外周には、加熱部７が配設されている。該加熱部７は、公知のヒーターを用いることができる。
【００２５】
また、該細管部６の前端には、回収部材８が取り付けられており、該回収部材８には、該細管部６前端の前方に配置された下向きの傾斜当接板８Ａが設けられている。
【００２６】
上記した生ゴミ処理装置１において、生ゴミＷ１から肥料（飼料）Ｗ２を得る手順を説明する。
まず、一般家庭などから回収した生ゴミＷ１を、ホッパー４を介して本体部３内へ投入する。そうすると、該生ゴミＷ１は、回転するスクリューコンベア２０によって細かく粉砕されながら該本体部３内において前方に送り出される。
【００２７】
ここで、図４に示すように、スクリューコンベア２０によって生ゴミＷ１が送り出される過程では、生ゴミＷ１から多量の水分が流出するが、該水分は該本体部３に設けられた透水板１１を介して排水回収部１２により回収され、ドレン１３から排水される。
【００２８】
本体部３内を通過する生ゴミＷ１は、水分が出て体積が減少しつつ、図４に示すように、スクリューコンベア２０と同期して回転する回転カッター２５によってさらに細かく粉砕されながら仕切り板２６の透孔２７を通過し、縮径部５内に到達する。
【００２９】
該縮径部５は、前方に向かうに従い内部空間が狭くなるため、該生ゴミＷ１は該縮径部５内の前端部に一旦滞留し、後方から順次送り出される生ゴミＷ１によって押圧されて圧縮状態とされる。
【００３０】
ここで、図４に示すように、縮径部５内で生ゴミＷ１が圧縮されると、該生ゴミＷ１から水分が絞り出されるが、該水分は縮径部５の傾斜状の内面を伝って該本体部３に向かって流下し、前記透水板１１を介してドレン１３から排水される。
【００３１】
縮径部５において圧縮されて水分が絞り出されて体積が減少し、圧密かつ軽量となった生ゴミＷ１は、順次後方から送り出される生ゴミＷ１によってさらに押し出されて、該細管部６内に到達する。そして、該細管部６内において、該加熱部７によって５０〜６０°に加熱され、乾燥状態とされる。
【００３２】
該細管部６内で加熱処理されることによって乾燥状態となった生ゴミＷ１は、該細管部６内で収縮しながら、順次後方から送り出される生ゴミＷ１によってさらに押し出されて、該細管部６の前端から略柱状体で排出される。
【００３３】
ここで、該細管部６内の生ゴミＷ１は、加熱により該細管部６内で収縮して外径が小さくなるため、該細管部６の内面との間に適度な間隙が生じて、円滑に該細管部６前端から排出される。
また、該細管部６の前端から排出される略柱状体の生ゴミ処理物は、圧縮かつ乾燥状態にあるため、図５に示すように、途中で切断されずに連続状に排出されてくるが、該生ゴミ処理物の前端が上記回収部材８の該傾斜当接板８Ａに当接すると、該形態が崩れて中途部分で切断され、あらかじめ設置された回収ボックスＹ内に落下し、ペレット状の肥料Ｗ２として回収される。
【００３４】
上記構成において、前記回収部材８を前後方向に移動させて細管部６の前端と傾斜当接板８Ａとの距離を変更することにより、肥料Ｗ２の長手寸法を適宜変更することができる。
【００３５】
なお、本発明は、上記実施例に限定されることはなく、本発明の主旨を逸脱しない範囲で適宜設計変更が可能である。
例えば、少なくとも上記の本体部３、縮径部５、および細管部６は生ゴミＷ１の付着防止のためにステンレスで構成することが望ましいが、他の材料を選択しても勿論よい。
また本発明の生ゴミ処理装置１は、多量の加工残渣が発生する食品加工工場、食べ残しが出る飲食店・レストラン、さらには売れ残りの食品廃棄物が生じる食品店・スーパーマーケット等、あるいは一般家庭に設置して好適に利用することができる。
【符号の説明】
【００３６】
１    生ゴミ処理装置
２    基台
３    本体部
４    ホッパー
５    縮径部
６    細管部
７    加熱部
８Ａ  傾斜当接板
１１  透水板
【図１】
2011161321.tif 000003
【図２】
2011161321.tif 000004
【図３】
2011161321.tif 000005
【図４】
2011161321.tif 000006
【図５】
2011161321.tif 000007